(57)【特許請求の範囲】
【請求項１】
内部に作動油を貯蔵する略直方体形状の油タンクと、貯蔵作動油を吸入吐出して負荷側に供給する油圧ポンプと、油圧ポンプを回転駆動する略円筒状の電動機と、負荷側から油タンクに還流する作動油に混入する塵埃を除去するリターンフィルタとを具備し、リターンフィルタは作動油の流入口と流出口とを形成したフィルタ本体に、作動油に混入する塵埃を除去するフィルタエレメントを内部に収装した略円筒状のケーシングを着脱自在に装着して構成し、油圧ポンプと電動機とを同芯状にして油タンクの上板上に載置し、リターンフィルタを油圧ポンプと電動機との側方に配置し、リターンフィルタは略円筒状のケーシングの長手方向を油圧ポンプと電動機との軸方向と略平行で略水平方向に配置し、この略水平方向に配置したケーシングを電動機の上方と側方とに重畳して配置したことを特徴とする油圧装置。
【発明の詳細な説明】
【技術分野】
【０００１】
本発明は、作動油を貯蔵する油タンクの上板上に貯蔵作動油を吸入吐出して負荷側に供給する油圧ポンプと油圧ポンプを回転駆動する電動機とを載置し、負荷側から油タンクに還流する作動油に混入する塵埃を除去するリターンフィルタを有する油圧装置に関する。
【背景技術】
【０００２】
従来の油圧装置は、作動油を貯蔵する油タンクの上板上に油圧ポンプと油圧ポンプを回転駆動する電動機とを載置し、油圧ポンプの回転駆動で油タンクに貯蔵した作動油を吸入吐出する。油圧ポンプより吐出した作動油は、負荷側としてのアクチュエータに供給する。アクチュエータから戻る作動油は、戻り配管に配設したリターンフィルタで作動油に混入する塵埃を除去して油タンクに還流している。（たとえば、特許文献１参照）。
【先行技術文献】
【特許文献】
【０００３】
【特許文献１】実願昭５１−３１８２１号（実開昭５２−１２３２９７号）のマイクロフィルム
【発明の概要】
【発明が解決しようとする課題】
【０００４】
ところが、特許文献１に開示された油圧装置では、油タンクの上板上で、電動機の側方に、長手方向を略垂直方向にしてリターンフィルタを配置しているため、この配置する面積を確保するのに上板が大型化し、これに伴い油タンクが大型化し、装置全体が大型化する問題点があった。
【０００５】
本発明の課題は、油タンクの上板にリターンフィルタを配置する面積を減少し、上板を小さくして装置全体を小型化し得る油圧装置を提供するものである。
【課題を解決するための手段】
【０００６】
かかる課題を達成すべく、本発明は次の手段をとった。即ち、
内部に作動油を貯蔵する略直方体形状の油タンクと、貯蔵作動油を吸入吐出して負荷側に供給する油圧ポンプと、油圧ポンプを回転駆動する略円筒状の電動機と、負荷側から油タンクに還流する作動油に混入する塵埃を除去するリターンフィルタとを具備し、リターンフィルタは作動油の流入口と流出口とを形成したフィルタ本体に、作動油に混入する塵埃を除去するフィルタエレメントを内部に収装した略円筒状のケーシングを着脱自在に装着して構成し、油圧ポンプと電動機とを同芯状にして油タンクの上板上に載置し、リターンフィルタを油圧ポンプと電動機との側方に配置し、リターンフィルタは略円筒状のケーシングの長手方向を油圧ポンプと電動機との軸方向と略平行で略水平方向に配置し、この略水平方向に配置したケーシングを電動機の上方と側方とに重畳して配置したことを特徴とする油圧装置がそれである。
【発明の効果】
【０００７】
以上詳述したように、請求項１に記載の発明は、リターンフィルタは作動油の流入口と流出口とを形成したフィルタ本体に、作動油に混入する塵埃を除去するフィルタエレメントを内部に収装した略円筒状のケーシングを着脱自在に装着して構成し、油圧ポンプと電動機とを同芯状にして油タンクの上板上に載置し、リターンフィルタを油圧ポンプと電動機との側方に配置し、リターンフィルタは略円筒状のケーシングの長手方向を油圧ポンプと電動機との軸方向と略平行で略水平方向に配置し、この略水平方向に配置したケーシングを電動機の上方と側方とに重畳して配置した。このため、電動機の上方に重畳したケーシングの面積分は上板の面積を減少できるから、上板を小さくできて装置全体を小型化することができる。また、略水平方向に配置したケーシングを電動機の側方と重畳して配置したため、電動機の側方に重畳した部分に応じて高さ寸法の増加を抑制でき、ケーシングの長手方向を略水平方向に配置したことと相俟って、装置全体の高さ寸法が増加することを抑制できる。
【図面の簡単な説明】
【０００８】
【図１】本発明の一実施形態を示した油圧装置の正面図である。
【図２】図１の左側面図である。
【図３】図１の平面図である。
【図４】図１の要部Ａの拡大断面図である。
【図５】図１の矢視Ｂから見た図である。
【発明を実施するための形態】
【０００９】
以下、本発明の一実施形態を図面に基づき説明する。
図１ないし図３において、１は内部に作動油を貯蔵するタンクで、上部を開口した略直方体形状に形成し、上部開口を着脱自在の上板２で閉塞している。３は油圧ポンプ４を回転駆動する電動機で、上板２上に載置固定し、最上部に端子箱３Ａを備えている。油圧ポンプ４は、上板２上で電動機３の一側面に同芯状に固定し、電動機３の回転駆動で油タンク１の貯蔵作動油を吸入管路４Ａより吸入して吐出管路４Ｂに吐出する。吐出管路４Ｂに吐出した作動油は負荷側としての図示しないアクチュエータに供給する。油タンク１の一側面上方には作動油の貯蔵量を外部から視認する油面計を保護する保護部材５を配置すると共に、油タンク１の一側面下方には貯蔵作動油を排出する排出口を着脱自在に閉塞する栓部材６を設けている。油タンク１の上板２には、作動油を油タンク１内部に注油する注油口兼エアブリーザ７と、装置を吊り上げて移動するための複数のフック部材８と、油圧ポンプ４のドレンをドレン導入管路９より導入して冷却し、冷却したドレンをドレン導出管路１０より油タンク１に還流する冷却器１１を設けている。油タンク１の下方には、油タンク１より大面積の油受け１２を設置し、漏出した作動油を回収する。
【００１０】
１３はアクチュエータ側から油タンク１に還流する作動油を流通する戻り管で、作動油に混入する塵埃を除去するリターンフィルタ１４を配設している。図４に示す如く、リターンフィルタ１４はアクチュエータ側からの作動油を流入する流入口１５Ａと塵埃を除去した作動油を流出する流出口１５Ｂとを形成したフィルタ本体１５と、作動油に混入する塵埃を除去するフィルタエレメント１６を内部に収装してフィルタ本体１５に着脱自在に装着した略円筒状のケーシング１７とから構成している。リターンフィルタ１４には、ばね１８で付勢されて弁座１９に着座して流入口１５Ａと流出口１５Ｂとの間を遮断する弁体２０を有している。弁体２０はフィルタエレメント１６と並列に配設し、フィルタエレメント１６の目つまりにより流入口１５Ａ側の作動油の圧力に基づく作用力がばね１８力を上回ると弁座１９から離脱して、流入口１５Ａと流出口１５Ｂとの間を連通する。
【００１１】
２１はリターンフィルタ１４を取付ける取付ブラケットで、油圧ポンプ４の側方で、油タンク１の上板２上に立設している。取付ブラケット２１には、垂直方向に延びて上端に開口する長孔２１Ａ、２１Ｂを２個形成し、各長孔２１Ａ、２１Ｂを挿通してボルト部材２２Ａ、２２Ｂをフィルタ本体１５に螺着している。フィルタ本体１５はボルト部材２２Ａ、２２Ｂの締め付けで取付ブラケット２１に取付け、ボルト部材２２Ａ、２２Ｂを長孔２１Ａ、２１Ｂの下端に当接して垂直方向の位置を設定している。フィルタ本体１５に装着したケーシング１７は、取付ブラケット２１へのフィルタ本体１５の取付けで、自身の長手方向を油圧ポンプ４と電動機３との軸方向と略平行で略水平方向に配置している。そして、略水平方向に配置したケーシング１７は、電動機３の上方と側方とに重畳して配置している。詳述するに、図５に示す如く、ケーシング１７は、外周面の最右方部Ｒを電動機３の外周面の最左方部Ｌより右方に位置し、最右方部Ｒと最左方部Ｌとの差Ｌ１分に相当して電動機３の上方と重畳している。また、ケーシング１７は、外周面の最下方部Ｄを電動機３の外周面の最上方部Ｕより下方に位置し、最下方部Ｄと最上方部Ｕとの差Ｌ２分に相当して電動機３の側方と重畳している。
【００１２】
戻り管１３は、アクチュエータ側とフィルタ本体１５の流入口１５Ａとの間を接続する第１戻り管２３と、フィルタ本体１５の流出口１５Ｂと油タンク１との間を接続して先端部を貯蔵作動油中に浸漬する第２戻り管２４とから構成している。第１戻り管２３は可撓性で、湾曲自在に設けている。第２戻り管２４は鋼管から直線状に形成し、上板２を密封して貫通し、先端部を貯蔵作動油中に浸漬している。そして、第２戻り管２４の先端部の位置は、取付ブラケット２１の長孔２１Ａ、２１Ｂの下端にボルト部材２２Ａ、２２Ｂを当接してフィルタ本体１５を取り付けるのに伴い設定される。２５はフィルタ本体１５の流入口１５Ａ側に取り付けた圧力計で、アクチュエータ側から油タンク１に還流する作動油の圧力を表示する。
【００１３】
次に、かかる構成の作動を説明する。
電動機３によって油圧ポンプ４を回転駆動すると、油圧ポンプ４は吸入管路４Ａより油タンク１に貯蔵した作動油を吸入して吐出管路４Ｂに吐出する。この吐出した作動油は、図示しないアクチュエータに供給される。アクチュエータからの戻り油は、第１戻り管２３を流れ、リターンフィルタ１４で塵埃を除去され、第２戻り管２４を流れて油タンク１に還流する。このとき、リターンフィルタ１４の弁体２０はばね１８で付勢されて弁座１９に着座して流入口１５Ａと流出口１５Ｂとの間を遮断している。
【００１４】
リターンフィルタ１４のフィルタエレメント１６が目つまりすると、作動油が流れにくくなり、流入口１５Ａ側の作動油の圧力が上昇する。この圧力に基づく作用力がばね１８力を上回ると、弁体２０が弁座１９から離脱して流入口１５Ａと流出口１５Ｂとの間を連通する。流入口１５Ａに流入した作動油は、フィルタエレメント１６を介さず直接に流出口１５Ｂより第２戻り管２４を流れて油タンク１に還流する。流入口１５Ａ側の作動油の圧力上昇は、圧力計２５で表示され、異常値となったことが目視で確認できる。
【００１５】
この状態で、油圧ポンプ４を停止し、フィルタ本体１５よりケーシング１７を取り外し、目つまりしたフィルタエレメント１６を新しいフィルタエレメント１６に交換する。そして、フィルタ本体１５にケーシング１７を再び装着する。
【００１６】
新しいフィルタエレメント１６に交換した後、油圧ポンプ４を回転駆動すると、流入口１５Ａの作動油がフィルタエレメント１６を介して流れるようになり、流入口１５Ａ側の圧力が低下し、弁体２０がばね１８力で付勢されて弁座１９に着座して流入口１５Ａと流出口１５Ｂとの間を遮断して元の状態となり、流入口１５Ａ側の作動油の圧力が低下する。流入口１５Ａ側の作動油の圧力低下は、圧力計２５で表示され、正常値に復帰したことが目視で確認できる。
【００１７】
かかる作動で、リターンフィルタ１４は作動油の流入口１５Ａと流出口１５Ｂとを形成したフィルタ本体１５に、作動油に混入する塵埃を除去するフィルタエレメント１６を内部に収装した略円筒状のケーシング１７を着脱自在に装着して構成し、油圧ポンプ４と電動機３とを同芯状にして油タンク１の上板２上に載置し、リターンフィルタ１４を油圧ポンプ４と電動機３との側方に配置し、リターンフィルタ１４は略円筒状のケーシング１７の長手方向を油圧ポンプ４と電動機３との軸方向と略平行で略水平方向に配置し、この略水平方向に配置したケーシング１７を電動機３の上方と側方とに重畳して配置した。このため、電動機３の上方に重畳したケーシング１７の面積分は上板２の面積を減少できるから、上板２を小さくできて装置全体を小型化することができる。
【００１８】
また、略水平方向に配置したケーシング１７を電動機３の側方と重畳して配置したため、電動機３の側方に重畳した部分に応じて高さ寸法の増加を抑制でき、ケーシング１７の長手方向を略水平方向に配置したことと相俟って、装置全体の高さ寸法が増加することを抑制できる。
【００１９】
また、油タンク１の上板２上に取付ブラケット２１を立設し、取付ブラケット２１には垂直方向に延びる長孔２２Ａ、２２Ｂを形成し、長孔２２Ａ、２２Ｂを挿通するボルト部材２１Ａ、２１Ｂを長孔２２Ａ、２２Ｂの下端に当接するのに伴い、第２戻り管２４の先端部の位置を設定できる。このため、ボルト部材２１Ａ、２１Ｂを長孔２２Ａ、２２Ｂの下端に当接する簡単な作業で、油タンク１の貯蔵作動油量に応じた最適位置に第２戻り管２４の先端部を容易に設定することができる。
【００２０】
なお、一実施形態では、油圧ポンプ４を電動機３の一側面に固定したが、油圧ポンプを油タンクの上板上に載置固定してもよいことは勿論である。
【符号の説明】
【００２１】
１：油タンク
２：上板
３：電動機
４：油圧ポンプ 
１４：リターンフィルタ
１５：フィルタ本体
１５Ａ：流入口
１５Ｂ：流出口
１６：フィルタエレメント
１７：ケーシング
【図１】
0006654098.tif 000002
【図２】
0006654098.tif 000003
【図３】
0006654098.tif 000004
【図４】
0006654098.tif 000005
【図５】
0006654098.tif 000006